【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
ガスタービンの燃料を加熱する加熱水の供給装置から前記燃料を加熱する燃料加熱装置へ供給される前記加熱水の流量を、前記燃料加熱装置から前記加熱水の供給装置へ回収される前記加熱水の流量を調節する給水流量調節弁の開度を調節することにより制御し、当該加熱水の流量の制御により、前記燃料加熱装置を経て前記ガスタービンの燃焼器に供給される前記燃料の温度を制御する制御システムであって、
前記ガスタービンの負荷に応じた前記給水流量調節弁の開度である第１弁開度を算出する第１弁開度算出部と、
前記ガスタービンの燃焼器に供給する前記燃料の目標温度と前記燃料加熱装置の出口側における前記燃料の温度との偏差に応じた補正量を算出し、算出した前記補正量を前記第１弁開度に加算して第３弁開度を算出する第３弁開度算出部と、
前記第３弁開度に基づいて、前記給水流量調節弁の開度を制御する給水流量調節弁制御部と、
を備える制御システム。
【請求項２】
前記制御システムは、加熱水の供給装置から前記燃料加熱装置へ供給される前記加熱水の流量を、前記給水流量調節弁の開度と、復水器へダンプされる前記加熱水の流量を調節するダンプ弁の開度と、を調節することにより制御し、当該加熱水の流量の制御により、前記燃料の温度を制御し、
前記ガスタービンの負荷に応じて予め定められた前記加熱水の目標流量と実際の流量との偏差に応じて、前記ダンプ弁の開度を制御するダンプ弁制御部、
を備える請求項１に記載の制御システム。
【請求項３】
前記第３弁開度算出部は、前記燃料の目標温度と前記燃料加熱装置の出口側における前記燃料の温度との偏差に基づく前記補正量の算出を、フィードバック制御によって実行する、
請求項２に記載の制御システム。
【請求項４】
前記第１弁開度に前記燃料加熱装置の入口側での前記燃料の温度に応じた係数を乗じて第２弁開度を算出する第２弁開度算出部、をさらに備え、
前記第３弁開度算出部は、前記第１弁開度に代えて、前記第２弁開度に前記補正量を加算して前記第３弁開度を算出する、
請求項２または請求項３に記載の制御システム。
【請求項５】
前記ダンプ弁制御部は、前記給水流量調節弁を通過する前記加熱水の流量よりも少ない流量を目標流量として、前記ダンプ弁の開度を制御する、
請求項２から請求項４の何れか１項に記載の制御システム。
【請求項６】
前記ダンプ弁制御部は、前記ガスタービンの負荷が所定の値以上となったときに、前記給水流量調節弁を通過する前記加熱水の流量よりも少ない流量を目標流量とする、
請求項５に記載の制御システム。
【請求項７】
前記制御システムは、加熱水の供給装置から燃料加熱装置へ供給する前記加熱水の流量を、前記燃料加熱装置における前記加熱水の経路の上流側に設けられる３方弁であって前記燃料加熱装置に送出する前記加熱水の割合と前記燃料加熱装置をバイパスする経路に送出する前記加熱水の割合とを切り替える前記３方弁の開度と、前記燃料加熱装置から前記加熱水の供給装置へ回収される前記加熱水の流量を調節する給水流量調節弁の開度と、復水器へダンプされる前記加熱水の流量を調整するダンプ弁の開度と、を調節することにより制御し、当該加熱水の流量の制御により、前記燃料の温度を制御し、
前記給水流量調節部は、
前記ガスタービンの負荷に応じた前記給水流量調節弁の開度である第１弁開度を算出する第１弁開度算出部と、
前記第１弁開度に基づいて、前記給水流量調節弁の開度を制御する給水流量調節弁制御部と、
前記ガスタービンの負荷に応じて予め定められた前記加熱水の目標流量と実際の流量との偏差に応じて、前記ダンプ弁の開度を制御するダンプ弁制御部と、
前記燃料の目標温度と前記燃料加熱装置の出口側における前記燃料の温度との偏差に応じて前記３方弁の開度を制御する３方弁制御部と、
を備える請求項１に記載の制御システム。
【請求項８】
加熱水の供給装置からガスタービンの燃料を加熱する燃料加熱装置へ供給される前記加熱水の流量を、前記加熱水の供給装置へ回収される前記加熱水の流量を調節する給水流量調節弁の開度と、復水器へダンプされる前記加熱水の流量を調整するダンプ弁の開度とを調節することにより制御し、当該加熱水の流量の制御により、前記燃料の温度を制御する制御システムであって、
前記ガスタービンの負荷に応じた前記給水流量調節弁の開度である第１弁開度を算出する第１弁開度算出部と、
前記第１弁開度に前記燃料加熱装置の入口側での前記燃料の温度に応じた係数を乗じて第２弁開度を算出する第２弁開度算出部と、
前記第２弁開度に基づいて、前記給水流量調節弁の開度を制御する給水流量調節弁制御部と、
を備える制御システム。
【請求項９】
圧縮機と、
燃焼器と、
タービンと、
請求項１から請求項８の何れか１項に記載の制御システムと、
を備えるガスタービン。
【請求項１０】
請求項９に記載のガスタービンと、
蒸気タービンと、
発電機と、
を備える発電プラント。
【請求項１１】
ガスタービンの燃料を加熱する燃料加熱装置へ供給される加熱水の流量を調節することで、前記燃料加熱装置を経て前記ガスタービンの燃焼器に供給される前記燃料の温度を制御する制御システムが、
前記加熱水の供給装置から前記燃料加熱装置へ供給される前記加熱水の流量を、前記燃料加熱装置から前記加熱水の供給装置へ回収される前記加熱水の流量を調節する給水流量調節弁の開度を制御するステップ、によって制御し、当該加熱水の流量の制御により、前記燃料の温度を制御し、
前記給水流量調節弁の開度を制御するステップでは、
前記ガスタービンの負荷に応じた前記給水流量調節弁の開度である第１弁開度を算出し、
前記ガスタービンの燃焼器に供給する前記燃料の目標温度と前記燃料加熱装置の出口側における前記燃料の温度との偏差に応じた補正量を算出し、算出した前記補正量を前記第１弁開度に加算して第３弁開度を算出する、
燃料温度の制御方法。
【手続補正２】
【補正対象書類名】明細書
【補正対象項目名】０００９
【補正方法】変更
【補正の内容】
【０００９】
本発明の第１の態様によれば、制御システムは、ガスタービンの燃料を加熱する加熱水の供給装置から前記燃料を加熱する燃料加熱装置へ供給される前記加熱水の流量を、前記燃料加熱装置から前記加熱水の供給装置へ回収される前記加熱水の流量を調節する給水流量調節弁の開度を調節することにより制御し、当該加熱水の流量の制御により、前記燃料加熱装置を経て前記ガスタービンの燃焼器に供給される前記燃料の温度を制御する制御システムであって、前記ガスタービンの負荷に応じた前記給水流量調節弁の開度である第１弁開度を算出する第１弁開度算出部と、前記ガスタービンの燃焼器に供給する前記燃料の目標温度と前記燃料加熱装置の出口側における前記燃料の温度との偏差に応じた補正量を算出し、算出した前記補正量を前記第１弁開度に加算して第３弁開度を算出する第３弁開度算出部と、前記第３弁開度に基づいて、前記給水流量調節弁の開度を制御する給水流量調節弁制御部と、を備える。
【手続補正３】
【補正対象書類名】明細書
【補正対象項目名】００１０
【補正方法】変更
【補正の内容】
【００１０】
また、本発明の第２の態様によれば、前記制御システムは、加熱水の供給装置から前記燃料加熱装置へ供給される前記加熱水の流量を、前記給水流量調節弁の開度と、復水器へダンプされる前記加熱水の流量を調節するダンプ弁の開度と、を調整することにより制御し、当該加熱水の流量の制御により、前記燃料の温度を制御し、前記給水流量調節部は、前記ガスタービンの負荷に応じた前記給水流量調節弁の開度である第１弁開度を算出する第１弁開度算出部と、前記ガスタービンの燃焼器に供給する前記燃料の目標温度と前記燃料加熱装置の出口側における前記燃料の温度との偏差に応じた補正量を算出し、算出した前記補正量を前記第１弁開度に加算して第３弁開度を算出する第３弁開度算出部と、前記第３弁開度に基づいて、前記給水流量調節弁の開度を制御する給水流量調節弁制御部と、前記ガスタービンの負荷に応じて予め定められた前記加熱水の目標流量と実際の流量との偏差に応じて、前記ダンプ弁の開度を制御するダンプ弁制御部とを備える。
【手続補正４】
【補正対象書類名】明細書
【補正対象項目名】００１５
【補正方法】変更
【補正の内容】
【００１５】
また、本発明の第７の態様によれば、前記制御システムは、加熱水の供給装置から燃料加熱装置へ供給する前記加熱水の流量を、前記燃料加熱装置における前記加熱水の経路の上流側に設けられる３方弁であって前記燃料加熱装置に送出する前記加熱水の割合と前記燃料加熱装置をバイパスする経路に送出する前記加熱水の割合とを切り替える前記３方弁の開度と、前記燃料加熱装置から前記加熱水の供給装置へ回収される前記加熱水の流量を調節する給水流量調節弁の開度と、復水器へダンプされる前記加熱水の流量を調整するダンプ弁の開度と、を調節することにより制御し、当該加熱水の流量の制御により、前記燃料の温度を制御し、前記給水流量調節部は、前記ガスタービンの負荷に応じた前記給水流量調節弁の開度である第１弁開度を算出する第１弁開度算出部と、前記第１弁開度に基づいて、前記給水流量調節弁の開度を制御する給水流量調節弁制御部と、前記ガスタービンの負荷に応じて予め定められた前記加熱水の目標流量と実際の流量との偏差に応じて、前記ダンプ弁の開度を制御するダンプ弁制御部と、前記燃料の目標温度と前記燃料加熱装置の出口側における前記燃料の温度との偏差に応じて前記３方弁の開度を制御する３方弁制御部と、を備える。
【手続補正５】
【補正対象書類名】明細書
【補正対象項目名】００１６
【補正方法】変更
【補正の内容】
【００１６】
また、本発明の第８の態様によれば、制御システムは、加熱水の供給装置からガスタービンの燃料を加熱する燃料加熱装置へ供給される前記加熱水の流量を、前記加熱水の供給装置へ回収される前記加熱水の流量を調節する給水流量調節弁の開度と、復水器へダンプされる前記加熱水の流量を調整するダンプ弁の開度とを調節することにより制御し、当該加熱水の流量の制御により、前記燃料の温度を制御する制御システムであって、前記ガスタービンの負荷に応じた前記給水流量調節弁の開度である第１弁開度を算出する第１弁開度算出部と、前記第１弁開度に前記燃料加熱装置の入口側での前記燃料の温度に応じた係数を乗じて第２弁開度を算出する第２弁開度算出部と、を備える。
【手続補正６】
【補正対象書類名】明細書
【補正対象項目名】００１７
【補正方法】変更
【補正の内容】
【００１７】
また、本発明の第９の態様によれば、ガスタービンは、圧縮機と、燃焼器と、タービンと、上記の何れか１つに記載の制御システム、を備える。
【手続補正７】
【補正対象書類名】明細書
【補正対象項目名】００１８
【補正方法】変更
【補正の内容】
【００１８】
また、本発明の第１０の態様によれば、発電プラントは、上記のガスタービンと、蒸気タービンと、発電機と、を備える。
【手続補正８】
【補正対象書類名】明細書
【補正対象項目名】００１９
【補正方法】変更
【補正の内容】
【００１９】
また、本発明の第１１の態様は、ガスタービンの燃料を加熱する燃料加熱装置へ供給される加熱水の流量を調節することで、前記燃料加熱装置を経て前記ガスタービンの燃焼器に供給される前記燃料の温度を制御する制御システムが、前記加熱水の供給装置から前記燃料加熱装置へ供給される前記加熱水の流量を、前記燃料加熱装置から前記加熱水の供給装置へ回収される前記加熱水の流量を調節する給水流量調節弁の開度を制御するステップ、によって制御し、当該加熱水の流量の制御により、前記燃料の温度を制御し、前記給水流量調節弁の開度を制御するステップでは、前記ガスタービンの負荷に応じた前記給水流量調節弁の開度である第１弁開度を算出し、前記ガスタービンの燃焼器に供給する前記燃料の目標温度と前記燃料加熱装置の出口側における前記燃料の温度との偏差に応じた補正量を算出し、算出した前記補正量を前記第１弁開度に加算して第３弁開度を算出する、燃料温度の制御方法である。